(57)【要約】      （修正有）【課題】ランニング、ウォーキング、ジョギングなどのスポーツ活動中にユーザの骨盤の位置で着用される下着を提供する。【解決手段】ランニングまたは同様のスポーツ用の下着（１）であって、ユーザの臀部に着用されるストラップ（３）を有する主要開口部と、ストラップに接続されるとともに、下着が着用される場合にユーザの脚の付け根および／または大腿部の位置にフィットされる対応するそれぞれの側縁部（６）を備える、それぞれの脚を挿入するための２つの側部開口部（５）を備える主要部分（４）と、を備え、主要部分は、その少なくとも１つの中間背部がユーザの臀部の間の臀間溝に挿入できるように構成され、ユーザの臀部の間に少なくとも１つの中間背部を拘束するための少なくとも第１の滑り止め手段（９）を有する。【選択図】図１
2020041252.tif 000002
【特許請求の範囲】
【請求項１】
ランニングまたは同様のスポーツ用の下着（１）であって、ユーザの臀部に着用されるストラップ（３）を有する主要開口部（２）と、前記ストラップに接続されるとともに、前記下着が着用される場合に前記ユーザの脚の付け根および／または大腿部の位置にフィットされる対応するそれぞれの側縁部（６）を備える、それぞれの脚を挿入するための２つの側部開口部（５）を備える主要部分（４）と、を備え、前記主要部分は、その少なくとも１つの中間背部が前記ユーザの臀部の間の臀間溝に挿入できるように構成され、前記ユーザの前記臀部の間に前記少なくとも１つの中間背部を拘束するための少なくとも第１の滑り止め手段（９）を有し、前記主要部分（４）は、前記ユーザの前記臀間溝に着用される少なくとも前記主要部分（４）の前記中間背部で延在する少なくとも１つの中央開口部（１０）を含み、前記中央開口部には、前記ユーザの前記臀部に挿入されるよう意図された内縁（１１）が設けられている、下着（１）。
【請求項２】
前記中央開口部は、前記ストラップと接合され、かつ少なくとも部分的に互いに分離された２つのストリップ（４'）に前記主要部分（４）を細分し、各ストリップは側縁部（６）および内縁（１１）を備え、前記内縁は、前記ユーザの前記臀部の間に挿入されるように意図されている、請求項１に記載の下着（１）。
【請求項３】
前記第１の滑り止め手段（９）は、少なくとも部分的に前記内縁（１１）に、またはその近くに、少なくとも前記下着の背部（８）の位置で、前記下着の内側に設けられる、請求項１または２に記載の下着（１）。
【請求項４】
少なくとも前記主要部分が通気性の合成繊維で作られている、請求項１から３のいずれか１項に記載の下着（１）。
【請求項５】
前記２つのストリップが互いに実質的に完全に分離され、前記第１の滑り止め手段（９）が前記内縁（１１）の範囲のほぼすべてに沿って延びる、請求項２に記載の下着（１）。
【請求項６】
第２の滑り止め手段（１２）が、前記下着の内側に、前記下着の前記それぞれの側縁部（６）に、またはその近くに設けられており、必要に応じて第３の滑り止め手段（１３）が、前記ストラップ（３）の前記内縁の少なくとも一方にまたは両方に、もしくは前記内縁の少なくとも一方または両方の近くに設けられており、着用時に前記下着を前記ユーザの体に完全にフィットさせた状態で維持する、請求項１から５のいずれか１項に記載の下着（１）。
【請求項７】
前記ユーザの恥骨領域と接触して着用される前記主要部分の一部に配置された、綿または抗菌材料で作られたガセットを含む、請求項１から６のいずれか１項に記載の下着（１）。
【請求項８】
前記ストラップ（３）および／または前記主要部分（４）が弾性繊維で作られている、請求項１から７のいずれか１項に記載の下着（１）。
【請求項９】
前記第１の滑り止め手段（９）ならびに必要に応じて設けられた前記第２および第３の滑り止め手段（１２、１３）は、好ましくは抗アレルギータイプのシリコーンゴムなどの滑り止め材料で作られたストリップを含む、請求項６に記載の下着（１）。
【請求項１０】
各ストリップ（４'）の幅は、その全範囲に沿って等しく、各ストリップは、着用時に恥骨領域で他方と重なり合うように意図されているか、または各ストリップが前記ストラップから前記恥骨領域に向かって狭くなる、請求項２または５に記載の下着（１）。
【発明の詳細な説明】
【技術分野】
【０００１】
本発明は、スポーツ用の下着の分野に関し、特に、ランニングまたは同様のスポーツのための下着に関する。ランニングという用語は、一般にランニング、ジョギング、ウォーキングである歩行活動の実践として理解されるものである。
【背景技術】
【０００２】
ランニング、ウォーキング、サイクリングなど、特に長時間にわたるスポーツ活動を行う場合、ユーザの足の動きと汗とによって体の部分が互いに擦れるために、大腿部、脚の付け根および／または臀部の接合の位置で炎症（Irritations）が生じる可能性がある。実際、ランニングは、皮膚の２点間の継続的な摩擦の結果として現れる皮膚の炎症（inflammations）と擦りむき（excoriations）を引き起こす可能性がある。そのような影響は、皮膚が汗のために特に湿気を帯びており、また毛が存在する場合に、特に望ましくない脱毛後の再成長段階にある場合に、より一層ひどくなる。非常に長い距離を移動するアスリート、激しいトレーニングを受けているアスリート、およびオーバーウェイトと戦っているすべてのアスリートは、このタイプの炎症の影響を最も受ける。
【０００３】
通常、炎症が現れたらトレーニングを続けることはできない。次のワークアウトが炎症した皮膚に新しい摩擦を生じさせるからである。これは、特に競技レベルで前述のスポーツを練習するアスリート、したがって頻繁にトレーニングする必要があるアスリートの場合、特に問題になる可能性がある。
【０００４】
これまでのところ、皮膚を保護する一種の保護フィルムを形成するなど、重要なポイントに対して、トレーニングする前に保護クリームまたは鎮静薬を使用することにより、摩擦による皮膚の炎症の発症を防ぐための試みが行われている。
【０００５】
しかしながら、前述のクリームの使用は、特に長期にわたるスポーツ活動の場合、常に望ましい結果を提供するとは限らない。したがって、抗炎症および鎮静クリームで治癒されるべき炎症が生じる可能性があり、このことは、炎症自体が消えるまでスポーツ活動を中断する必要があることを不利にも暗示している。
【０００６】
ブリーフ、ボクサーなど、これらの活動のための下着があるが、これらは通気性のある繊維で作られていること、サイドの縫い目がないこと、サポート機能を持っていることだけが特徴である。いずれにせよ、それらは、臀部および／または脚の付け根の位置で炎症部が擦れるのを防ぐことができる特徴を持っていない。
【０００７】
文書ＷＯ２００５／０６３０６１Ａ１は、少なくとも１つのストリングストリップまたはセクションを含む、個人が着用しなければならないテキスタイルの下着用のストリングに言及しており、少なくとも１つのストリングストリップまたはセクションは外向きに湾曲した枝を持つＶ字形片から分岐している。
【０００８】
欧州特許出願ＥＰ２１８９０７２Ａ１は、ストラップ部、フロント部、および２つのベルト状部を含む下着に関し、フロント部はストラップ部から延び、頂点で先細になり、接続部が頂点を接合領域に接続し、そこから２つのベルト部がストラップ部まで伸びる。
【０００９】
しかしながら、このような下着は、スポーツ活動を行うにはあまり快適ではなく、いずれにしろ、上記の臀部または大腿部の擦れによる炎症を防ぐものではない。
【発明の概要】
【００１０】
本発明の目的は、既知の技術の欠点を解決する、ランニング、ウォーキング、ジョギングなどのスポーツ活動中にユーザの骨盤の位置で着用される下着を提供することである。
本発明のさらなる目的は、快適で、通気性があり、製造が簡単で経済的な下着を提供することである。
【００１１】
これらおよび他の目的は、請求項１に記載のランニング用の下着によって達成される。
特に、下着は、ユーザの骨盤の位置で着用するのに適しており、大腿部／腰に着用されるストラップを備えた主要開口部と、それぞれがユーザの脚の挿入のための２つの側面開口部を有する主要部分とを備える。
【００１２】
有利には、下着は、背部であって、その少なくとも１つの中間部分がユーザの臀部の間の臀間溝（intergluteal groove）に挿入されることができるサイズの背部と、前記中間部分に、スポーツ活動による臀部の関連する動きにもかかわらずユーザの臀部の間にそれを拘束するための少なくとも１つの第１の滑り止め手段とを有する。
【００１３】
好ましい解決策では、臀部の筋肉の間に挿入されるべき少なくとも主要部分の中間部分で、当該主要部分は、第１の滑り止め手段が組み合わされる対応するそれぞれの内縁を有する中央開口部を有する。このような開口部により、下着をより適切に配置し、臀部に関連する主要部分の一部を他の部分に関連する一部から分離して維持できるので、したがって、ランニング中に臀部が受ける正反対の動作にもかかわらず、正しい位置をより確実に確保できる。
【００１４】
さらにより好ましくは、中央開口部は、ストラップと接合され、かつ少なくとも部分的に互いに分離された２つのストリップに主要部分を細分する。このように、片方の脚に関連付けられたストリップは、もう一方の脚に関連付けられたストリップからほぼ完全に独立しているため、スポーツ活動全体を通して下着の正しい位置をより確実に確保できる。
【００１５】
有利には、下着は、汗の蓄積を防ぐために通気性のある合成繊維で作られており、少なくとも、ユーザの恥骨に着用される部分の近くに綿または抗菌および／または低刺激性材料で作られたガセットを有することができる。そのようなガセットの存在は、下着が女性ユーザを対象とする場合に特に有利である。さらに、下着は、それ自体が身体によりよく適合するように弾性材料で作られていてもよい。
【００１６】
好ましくは、下着は、脚を挿入するための開口部と組み合わされた第２の滑り止め手段と、必要に応じて、下着をユーザの腰に固定するための第３の滑り止め手段とをさらに備える。
【００１７】
有利には、滑り止め手段は、滑り止め材料、特にシリコーンゴム、好ましくは低刺激性タイプのストリップ状の形状を有する。
有利には、各ストリップは、ストラップから恥骨領域に向かって狭くなる。
【００１８】
特に好ましい構成では、各ストリップはその延長全体にわたって同じ幅を持つことができる。この場合、各ストリップの一部は、着用時に恥骨領域で残部と重なるよう意図されている。
【００１９】
この構成は、連続的なシリコンコーティングを施した線形弾性繊維の３つのバンドから下着全体を得ることができるので、特に生産的な観点から特に有利である。必要に応じて、第１のバンドがその短辺で縫い付けられると、同一で、それぞれが斜めの側面を持つ他の２つのバンドおよびストラップが構成され、それらがそれらの短辺でストラップに縫い付けられると、下着のストリップが画定される。
【００２０】
具体的には、臀部に着用される下着の背部に湾曲を付与するために、２つの斜めの側面が提供される。
【図面の簡単な説明】
【００２１】
本発明のさらなる特徴および利点は、添付の図面を用いて、例としておよび限定することなく例示される、好ましいが排他的ではない実施形態の以下の詳細な説明を検討することにより、より強調される。
【図１】本発明による、特にランニング用のスポーツ用下着の実施形態の正面斜視図を示す。
【図２】図１の下着の背面斜視図を示す。
【図３】本発明によるスポーツ用下着のさらなる実施形態の正面斜視図を示す。
【図４】図３の下着の背面斜視図を示す。
【図５】図３の下着の内側部分の背面図を示す。
【図６】ユーザが着用した場合の本発明による下着の背面斜視図を示す。
【発明を実施するための形態】
【００２２】
図面を参照すると、本発明による、スポーツ活動、特にランニング用の下着１が示されている。特に、下着１はアンダーウェア、ブリーフ、ボクサーなどと同類であり、腰から脚の付け根、そして場合により少なくとも大腿部の一部に至る、ユーザの身体の一部を覆うように適合されている。下着は、男性と女性の両方のユーザによって着用され得る。
【００２３】
下着１は、下着自体を着用できるようにする主要開口部２を備え、下着が着用された場合にユーザの腰まわりにフィットされるストラップ３と、ストラップに接続され、かつ２つの側面開口部５を有する主要部分４とを備える。２つの側面開口部５それぞれは、対応するそれぞれの脚を挿入するためのものであり、下着が着用された場合にユーザの脚の付け根および／または大腿部の位置にフィットされる、対応するそれぞれの側縁部６を備える。
【００２４】
下着は、ユーザの臀部の位置で着用される前部７および背部８を含む。
本発明によれば、主要部分４は、ユーザの臀部の間の臀間溝に少なくとも部分的に挿入されるように構成され、臀部の間に適切に配置された主要部分の一部を拘束するための第１の滑り止め手段９を有する。
【００２５】
図１および図２に示される実施形態では、主要部分は、ユーザの臀間溝で着用される背部８の少なくとも中間部分で延びる中央開口部１０を有する。そのような中央開口部は、各側に内縁１１を有する。
【００２６】
好ましくは、そのような中央開口部はまた、主要部分４の前部の少なくとも一部の位置でも延びる。
図３から５に示される特に好ましい解決策では、主要部分４は、互いに実質的に分離された２つのストリップ４'を含み、各ストリップはストラップ３に接続され、側縁部６および内縁１１を備える。そのような実施形態では、中央開口部は、したがって、主要部分４の背部および前部全体に沿って実質的に延びる。
【００２７】
第１の滑り止め手段９は、下着の内側、少なくとも下着自体の背部８の位置で、各内縁１１に、または各内縁１１の近くに設けられ、ユーザの身体と接触するようにして、少なくとも、それぞれの内縁１１の背部を、ユーザの皮膚にタイトに堅く保持する。
【００２８】
主要部分４は、一体に作られているか、または互いに分離されたストリップ４'の形態である中央開口部１０を備えているか否かにかかわらず、ある大きさに形成され、その一つの中間部分と、それと一緒に、第１の滑り止め手段９とは、図６に示すように、ユーザの臀部の間に挿入され得るように構成される。これにより、スポーツ活動中、特にランニング、ウォーキングなどの際に臀部が互いに擦れるのを防ぐ。実際、このような構成のおかげで、臀部の皮膚の間に摩擦はないが、下着の２つの部分の間は、臀間溝に、したがって、臀部の間に、第１の滑り止め手段によって、適切に保持される。
【００２９】
有利には、下着は合成かつ通気性の繊維で作られているので、下着の部分が互いに滑りやすくなり、下着に染み込むと下着の効果を低下させる恐れがある汗が形成されて蓄積するのを防ぐ。
【００３０】
好ましくは、第１の滑り止め手段９は、内縁１１の延長全体に沿って実質的に延びて、ユーザの身体に対して完全にそれらを維持し、脚の長時間の急速な動きにもかかわらず、内縁の適切な位置決めおよびシールを保証する。
【００３１】
特に好ましい方法では、第２の滑り止め手段１２も下着の各側縁部に設けられる。この構成により、ユーザの脚の付け根および／または大腿部および臀部に対して下着を維持することができ、下着を適切な位置に維持し、下着自体と脚の付け根との間の擦れを防ぎ、したがって起こり得る炎症を防ぐ。有利には、主要部分は、ユーザの恥骨領域に着用されるその中間部分の位置で、綿または抗菌材料で作られたガセットを有することができる。
【００３２】
さらにより好ましくは、下着は、着用時に、身体に対して完全に下着を維持するために、ストラップ３の内縁の少なくとも一方、好ましくは両方の隣に少なくとも第３の滑り止め手段１３も有する。
【００３３】
ストラップ３と主要部分４の両方は、特にそれらの横方向に弾性のある繊維でできており、それぞれ図５の矢印ＸおよびＹで示されている。実際、このような弾力性により、下着を着用し、ユーザの腰と臀部の筋肉に密着したままにすることができる。下着は、さまざまな年齢およびさまざまな身体構造のアスリートが使用するために、ユーザのサイズと性別に応じてさまざまなサイズで作製できる。
【００３４】
有利には、第１、第２、および第３の滑り止め手段９、１２、および１３は、滑り止め材料、例えばシリコーンゴムの、好ましくは低刺激性タイプのシリコーンゴムのストリップによって作られる。
【００３５】
有利には、各ストリップ４'は、その延長全体にわたって同じ幅を有することができる。代替手段として、着用時により大きな脚の開口部を持つ下着を提供するために、各ストリップは、ストラップに接続された部分から恥骨領域に向かって狭くなることができる。
【００３６】
下着を適切かつ効果的に使用するには、各脚を下着の主要開口部とそれぞれの側部開口部に滑り込ませる必要がある。ストラップがユーザの大腿部／腰に達し、側縁部がユーザの脚の付け根と臀部の筋肉に配置されるまで、下着を脚に沿ってスライドさせる。ユーザの臀部の間に少なくとも中間背部を挿入し、第１の滑り止め手段をユーザ自身の臀部の内側部分に付着させて、下着が適切にフィットするようにする。
中間部分が２つのストリップからなる下着の場合、臀部の間に第１の滑り止め手段を備えた内縁を挿入することに加えて、恥骨領域をカバーするためにストリップの前部を重ねることも必要になる場合がある。
【先行技術文献】
【特許文献】
【００３７】
【特許文献１】ＷＯ２００５／０６３０６１Ａ１
【特許文献２】ＥＰ２１８９０７２Ａ１
【図１】
2020041252.tif 000003
【図２】
2020041252.tif 000004
【図３】
2020041252.tif 000005
【図４】
2020041252.tif 000006
【図５】
2020041252.tif 000007
【図６】
2020041252.tif 000008
【外国語明細書】
2020041252000001.pdf